(57)【要約】【課題】  空気流通孔からボディ部の内部に入ってしまうゴミを制御部品の内装されたグリップ部の内部にまで至ってしまうことを防止できるようにした手持ち工具を提供する。【解決手段】  手持ち工具１のハウジング２をボディ半部３０とグリップ半部４０とを有した一対のハウジング半体２０で構成する。各ハウジング半体２０におけるボディ半部３０とグリップ半部４０との間に軟質材２ａで構成した隔壁半部５０を設ける。ハウジング２を形成するべく一対のハウジング半体２０の合わせ面２０ａ同士を接合させたとき、一対のボディ半部３０同士が合致されてボディ部３が形成されると共に、一対のグリップ半部４０同士が合致されてグリップ部４が形成され、更に一対の隔壁半部５０の合わせ面５０ａ同士が合致されてボディ部３とグリップ部４とを隔離させる隔壁部５が形成される。【選択図】図１
2008080421.tif 000002
【特許請求の範囲】
【請求項１】
モータなどの駆動部品を内装すると共にこの駆動部品への冷却空気を通す空気流通孔が穿設されたボディ部と、ボディ部から突出して駆動部品を駆動制御するスイッチなどの制御部品を内装したグリップ部とを有して成る手持ち工具であって、手持ち工具のハウジングをボディ半部とグリップ半部とを有した一対のハウジング半体で構成し、各ハウジング半体におけるボディ半部とグリップ半部との間に軟質材で構成した隔壁半部を設け、ハウジングを形成するべく一対のハウジング半体の合わせ面同士を接合させたとき、一対のボディ半部同士が合致されてボディ部が形成されると共に、一対のグリップ半部同士が合致されてグリップ部が形成され、更に一対の隔壁半部の合わせ面同士が合致されてボディ部とグリップ部とを隔離させる隔壁部が形成されて成ることを特徴とする手持ち工具。
【請求項２】
ハウジング内でグリップ部からボディ部に配線されるコードを上記軟質材で構成した隔壁部に貫通させて保持したことを特徴とする請求項１記載の手持ち工具。
【請求項３】
ハウジング半体に設けた隔壁半部の合わせ面を、ハウジング半体の合わせ面よりも接合方向に突出させて成ることを特徴とする請求項１又は２記載の手持ち工具。
【請求項４】
一対の隔壁半部の各合わせ面の間に互いに合致する凹部と凸部を形成したことを特徴とする請求項１乃至３記載のいずれか一項に記載の手持ち工具。
【請求項５】
一対の隔壁半部の各合わせ面の間に互いに合致する傾斜状部を形成したことを特徴とする請求項１乃至３記載のいずれか一項に記載の手持ち工具。
【請求項６】
ハウジングの内部に硬質材で構成された補強リブ部を設けると共に、この補強リブ部を軟質材で構成された隔壁部に沿わせて配置したことを特徴とする請求項１乃至５のいずれか一項に記載の手持ち工具。
【発明の詳細な説明】
【技術分野】
【０００１】
本発明は、手持ち工具に関するものである。
【背景技術】
【０００２】
従来から、ボルト、ナット、あるいは木ネジ等の締め付け作業、金工、木工、モルタル、コンクリート等の穴あけ作業や切断作業等に用いられる手持ち工具１にあっては、たとえば図９のように、主体となるボディ部３にはモータ８などの駆動部品が内装されると共に、そのハウジング２には内外に貫通する空気流通孔１２が穿設されている。この空気流通孔１２によるとボディ部３の内部に空気を取り入れて駆動部品の冷却を可能にするものであるが、同時にゴミなどがボディ部３の内部に入り込んでしまう。ところで、ボディ部３から突出したグリップ部４には、握った手によって操作されるスイッチ等の駆動部品の駆動制御を行なう制御部品（制御回路基板９）が内装されるのであるが、上記ボディ部３の内部に入り込んだゴミがボディ部３とグリップ部４との間（図中Ａ部分）を通ってグリップ部４の内部にまで至ってしまうと、制御回路基板９がゴミによって短絡を起こしたり等の不具合が発生する恐れがあった。
【特許文献１】特開２００３−２５２５５号公報
【発明の開示】
【発明が解決しようとする課題】
【０００３】
本発明は上記の点に鑑みてなされたものであり、その目的とするところは、空気流通孔からボディ部の内部に入ってしまうゴミを制御部品の内装されたグリップ部の内部にまで至ってしまうことを防止できるようにした手持ち工具を提供することを課題とするものである。
【課題を解決するための手段】
【０００４】
上記課題を解決するために請求項１に係る手持ち工具にあっては、モータ８などの駆動部品を内装すると共にこの駆動部品への冷却空気を通す空気流通孔１２が穿設されたボディ部３と、ボディ部３から突出して駆動部品を駆動制御するスイッチなどの制御部品を内装したグリップ部４とを有して成る手持ち工具１であって、手持ち工具１のハウジング２をボディ半部３０とグリップ半部４０とを有した一対のハウジング半体２０で構成し、各ハウジング半体２０におけるボディ半部３０とグリップ半部４０との間に軟質材２ａで構成した隔壁半部５０を設け、ハウジング２を形成するべく一対のハウジング半体２０の合わせ面２０ａ同士を接合させたとき、一対のボディ半部３０同士が合致されてボディ部３が形成されると共に、一対のグリップ半部４０同士が合致されてグリップ部４が形成され、更に一対の隔壁半部５０の合わせ面５０ａ同士が合致されてボディ部３とグリップ部４とを隔離させる隔壁部５が形成されて成ることを特徴とする。
【０００５】
これによると、ボディ部３とグリップ部４との間に形成した隔壁部５によって、空気流通孔１２からボディ部３の内部に入り込んだゴミがグリップ部４に内装された制御部品に至ってしまうことを防止できるのであり、しかも、隔壁部５は各々ハウジング半体２０に設けた軟質材２ａで構成した隔壁半部５０の接合によって形成されるから、隔壁半部５０の接合状態を隙間の無い状態にできてシール性の高い隔壁部５を形成することができるのであり、つまり、良好なシール性を備えた隔壁部５によって、空気流通孔１２からのゴミがグリップ部４の制御部品に至ってしまうことを効果的に防止することができ、手持ち工具１の正常駆動を確保することができる。
【０００６】
また、請求項２に係る手持ち工具にあっては、請求項１において、ハウジング２内でグリップ部４からボディ部３に配線されるコード１０を上記軟質材２ａで構成した隔壁部５に貫通させて保持したことを特徴とする。これによると、隔壁部５のコード１０の貫通部分では軟質材２ａで構成した隔壁部５がコード１０を包み込むように保持することができ、コード１０を損傷させることなく強固に保持できると共に、隔壁部５における良好なシール性も確保できる。
【０００７】
また、請求項３に係る手持ち工具にあっては、請求項１または２において、ハウジング半体２０に設けた隔壁半部５０の合わせ面５０ａを、ハウジング半体２０の合わせ面２０ａよりも接合方向に突出させて成ることを特徴とする。これによると、ハウジング半体２０を合致させた時に隔壁半部５０の各合わせ面５０ａを強く突き合わせることができ、隔壁部５における良好なシール性を確保することができる。
【０００８】
また、請求項４に係る手持ち工具にあっては、請求項１乃至３記載のいずれか一項において、一対の隔壁半部５０の各合わせ面５０ａの間に互いに合致する凹部１７と凸部１８を形成したことを特徴とする。これによると、合致させた凹部１７と凸部１８とによって隔壁半部５０の各合わせ面５０ａの連結を強固に行わせることができ、隔壁部５における良好なシール性を確保することができる。
【０００９】
また、請求項５に係る手持ち工具にあっては、請求項１乃至３記載のいずれか一項において、一対の隔壁半部５０の各合わせ面５０ａの間に互いに合致する傾斜状部１９を形成したことを特徴とする。これによると、合致させた傾斜状部１９によって隔壁半部５０の各合わせ面５０ａの連結を強固に行わせることができ、隔壁部５における良好なシール性を確保することができる。
【００１０】
また、請求項６に係る手持ち工具にあっては、請求項１乃至５記載のいずれか一項において、ハウジング２の内部に硬質材２ｂで構成された補強リブ部２１を設けると共に、この補強リブ部２１を軟質材２ａで構成された隔壁部５に沿わせて配置したことを特徴とする。これによると、隔壁部５に沿わせて配置した硬質材２ｂで構成された補強リブ部２１によって、軟質材２ａで構成された隔壁半部５０を当接（合致）させた際に生じる恐れのある座屈変形を回避することができ、隔壁部５の不具合の無い形成を確保でき、隔壁部５のシール性を確保することができる。
【発明の効果】
【００１１】
本発明にあっては、空気流通孔からボディ部の内部に入ってしまうゴミを、制御部品が内装されたグリップ部の内部にまで至らせてしまうことを防止できる、といった利点を有する。
【発明を実施するための最良の形態】
【００１２】
以下、本発明を添付図面に示す実施形態に基いて説明する。なお便宜上、図中矢印ａ方向を前方、矢印ｂ方向を後方、矢印ｃ方向を上方、矢印ｄ方向を下方、矢印ｅ方向を左右方向として説明していく。
【００１３】
本例の手持ち工具１は、図１乃至３のように、前後に長い円筒状のボディ部３と上記ボディ部３の下縁から下方に垂下するグリップ部４を有している。グリップ部４の下端には着脱自在の充電式電池（図示せず）が備えられる。手持ち工具１のハウジング２において、ボディ部３を構成する箇所には前側から出力部６、駆動部７、モータ８が順に内装される。また、ハウジング２のグリップ部４を構成する箇所には、モータ８の駆動制御を行う制御部品としての制御回路基板９が内装されている。ここで、出力部６にはドリルやドライバー等の工具を装着させるチャックが備えられ、駆動部７はモータ８の回転駆動を出力部６に伝達させる減速機構などの機構で構成され、また、モータ８は電動式であって制御回路基板９を介して上記充電式電池とコード１０によって電気的接続が為される。制御回路基板９はボディ部３とグリップ部４との連結部分に設けたスイッチハンドル１１に連結されており、スイッチハンドル１１の操作によって手持ち工具１の出力操作が行われるようにされている。
【００１４】
また、ボディ部３の後部には空気流通孔１２が穿設されている。この空気流通孔１２は、ボディ部３を構成するハウジング２の内外を連通し、ボディ部３を構成するハウジング２に内装されて駆動時に発熱するモータ８に冷却空気を通すための孔である。つまり、ボディ部３の後部におけるハウジング２の内部には、空気流通孔１２にて外部と連通されたモータ８への冷却空気を通す通気空間１３が形成されている。
【００１５】
ここで、手持ち工具１のハウジング２は、材質的には、硬質材２ｂ及び軟質材２ａの２種類の樹脂による２色成形で形成されている。詳しくは、ハウジング２はその主体が剛性に優れた硬質材２ｂで形成されるものであり、この硬質材２ｂから成る主体の適宜箇所にたとえばエラストマーで構成される軟質材２ａを設けている。ハウジング２の外面に設けられた軟質材２ａは手持ち工具１を落とした等の外部衝撃を和らげるクッション材として機能する。また、グリップ部４を構成するハウジング２の部位の外面に設けられた軟質材２ａはグリップ部４を掴む手の滑り止めとして機能する。また、軟質材２ａはモータ８や駆動部等の内装部品をハウジング２内の適宜箇所に保持する保持材として機能するべくハウジング２の内面にも設けられている。このように内装部品を軟質材２ａで保持したことで、外部衝撃からの内装部品の保護や、内装部品の駆動時の振動のハウジング２への伝播防止が図られている。
【００１６】
また、手持ち工具１のハウジング２は、構造的には、１対のハウジング半体２０２を左右に対向させて合致し、ねじ止め等で一体化させることで形成される。つまり、ハウジング半体２０はそれぞれボディ半部３０とグリップ半部４０とを有して構成されており、一対のハウジング半体２０の合わせ面２０ａ同士を接合させたとき、ボディ半部３０同士が接合されてボディ部３が形成されると共に、グリップ半部４０同士が接合されてグリップ部４が形成されるようになっている。また、各ハウジング半体２０におけるボディ半部３０とグリップ半部４０との間には軟質材２ａで構成した隔壁半部５０が設けられている。この隔壁半部５０の軟質材２ａもハウジング半体２０の成形時に一体に形成される。ハウジング２を形成するべく一対のハウジング半体２０の合わせ面２０ａ同士を接合させたとき、上記一対の隔壁半部５０の合わせ面５０ａ同士が合致されてボディ部３とグリップ部４とを隔離させる隔壁部５が形成される。
【００１７】
詳しくは、隔壁半部５０はそれぞれハウジング半体２０の内面部位から左右方向のうち相対するハウジング半体２０に接合させる方向（以下、接合方向（矢印ｆ）という）に突出するように形成されており、その突出先端が合わせ面５０ａとされている。隔壁部５は、上下に面する横板状部１４と、横板状部１４の後端から下方に垂下されて前後に面する縦板状部１５とで形成されている。ここで、横板状部１４は、その左右端が通気空間１３に面するハウジング２の左右内面に連結されており、その上面部分がモータ８の下端面を被覆しており、つまりモータ８を保持する保持材としても機能している。また、縦板状部１５は、その左右端が通気空間１３に面するハウジング２の左右内面に連結されると共に、その下端が通気空間１３に面するハウジング２の下内面（上方に面する部分）に連結されている。つまり、本例の隔壁部５は、ハウジング２の内部において、内装されたモータ８と協働して、上記ボディ部３の通気空間１３とグリップ部４とを隔離している。
【００１８】
ここで、ボディ部３の内部（通気空間１３）には、外方に開口せる空気流通孔１２から、ゴミが入り込むことがある。しかしながら、上述のようにボディ部３とグリップ部４との間に形成した隔壁部５によって、空気流通孔１２からボディ部３の内部（通気空間１３）に入り込んだゴミがグリップ部４の内部、ひいては内装された制御回路基板９に至ってしまうことは防止されている。しかも、本例の隔壁部５は、各々ハウジング半体２０に設けた軟質材２ａで構成した隔壁半部５０の接合によって形成されているから、隔壁半部５０の接合状態を隙間の無い状態にできてシール性の高い隔壁部５を形成することができたものである。つまり、良好なシール性を備えた隔壁部５によると、空気流通孔１２からのゴミがグリップ部４の制御回路基板９に至ってしまうことを効果的に防止することができるのであり、したがって、制御回路基板９がゴミによって短絡を起こしたりする等の不具合の発生を回避して、手持ち工具１の正常駆動を確保できたものである。
【００１９】
以下、本発明の実施の形態の他例を列挙する。なお、以下列挙する他例において先例と同様部位については説明を省き、先例と異なる部位につき説明をする。
【００２０】
図４に示す例は、制御回路基板９とモータ８とを結線したコード１０を軟質材２ａで構成した隔壁部５に貫通させて保持させている。隔壁部５のコード１０の貫通部分では軟質材２ａで構成した隔壁部５がコード１０を包み込むように保持させることができ、コード１０を損傷させることなく強固に保持できると共に、隔壁部５における良好なシール性も確保できる利点を有する。詳しくは、この例においては、隔壁半部５０の縦板状部１５を構成する箇所における合わせ面に、円弧切欠状の挿通孔半部１６ａを形成してあり、一対の隔壁半部５０の合わせ面５０ａ同士を合致させて隔壁部５を形成した際に、挿通孔半部１６ａが合致されてコード１０を挿通させる円孔状の挿通孔１６が形成されるようになっている。これによると、挿通孔半部１６ａにコード１０を収めて位置決めした状態でハウジング半体２０同士を合致させてハウジング２を形成できるのであり、つまりコード１０が邪魔にならずにハウジング２の形成を図れるのであり、良好なハウジング２の組立性を備えることができる。また、上記挿通孔１６に通したコード１０は隔壁半部５０の合わせ面５０ａ近傍で隔壁部５に保持されることとなり、つまり、合わせ面５０ａ同士を突き合わせた際の力を有効に利用して挿通孔１６を縮径するように変形させることができるから、合わせ面５０ａ同士を突き合わせた際の力を有効に利用してコード１０を挿通孔１６の内径面で強固に保持できるといった利点も有している。
【００２１】
また図５に示す例は、ハウジング半体２０に設けた隔壁半部５０の合わせ面５０ａを、ハウジング半体２０の合わせ面２０ａよりも接合方向に突出させている（図中Ｌが突出距離）。これによると、ハウジング半体２０を合致させた時に隔壁半部５０の各合わせ面５０ａ同士を強く突き合わせることができ、隔壁部５にシール性をより強固に確保することができる。
【００２２】
また図６に示す例は、一対の隔壁半部５０の各合わせ面５０ａの間に互いに合致する凹部１７と凸部１８を形成している。凸部１８は隔壁半部５０の合わせ面５０ａよりも接合方向に突出する部位であり、凹部１７は隔壁半部５０の合わせ面５０ａよりも接合方向と反対に凹没する部位である。なお、本例では凸部１８及び凹部１７は、隔壁半部５０の横板状部１４及び縦板状部１５に連続して亘るような突条形状及び凹条形状に形成されている。これによると、合致させた凹部１７と凸部１８とによって隔壁半部５０の各合わせ面５０ａ同士の連結を強固に行わせることができ、隔壁部５にシール性をより強固に確保することができる。
【００２３】
また図７に示す例は、一対の隔壁半部５０の各合わせ面５０ａの間に互いに合致する傾斜状部１９を形成している。なお、傾斜状部１９は接合方向に対して直交しないような傾斜面形状を有する。これによっても、合致させた傾斜状部１９によって隔壁半部５０の各合わせ面５０ａ同士の連結を強固に行わせることができるから、隔壁部５にシール性をより強固に確保することができる。なお、先例の凸部１８と凹部１７の嵌合で隔壁半部５０の連結を行うものは凸部１８を凹部１７に嵌合させるために各隔壁半部５０に高い位置精度が必要となるが、本例では各隔壁半部５０の位置精度をそれほど必要としないでも傾斜状部１９同士を滑らすようにガイドさせた上で傾斜状部１９同士を合致させることができるのであり、ハウジング２に良好な組立性を備えることができる。
【００２４】
また図８に示す例は、ハウジング２の内部に硬質材２ｂで構成された補強リブ部２１を設けると共に、この補強リブ部２１を軟質材２ａで構成された隔壁部５に沿わせて配置している。詳しくは、各ハウジング半体２０には隔壁半部５０の横板状部１４に沿うように補強リブ半部２１ａが形成されており、ハウジング２を形成するべく一対のハウジング半体２０の合わせ面２０ａ同士を接合させたとき、上記一対の補強リブ半部２１ａの合わせ面が合致され、隔壁部５の横板状部１４に沿う補強リブ部２１が形成されるのである。この隔壁部５に沿わせて配置した硬質材２ｂで構成された補強リブ部２１によると、軟質材２ａで構成された隔壁半部５０を当接（合致）させた際に生じる恐れのある座屈変形を回避することができ、隔壁部５の不具合の無い形成を確保できるのであるから、隔壁部５のシール性を確保することができる。
【００２５】
なお、特に図示はしないが図４、図６乃至８の例において、図５の例のように隔壁半部５０の合わせ面５０ａ（図７の例では隔壁半部５０の厚み方向の中央部分の位置を構成する合わせ面５０ａ１の部位）を接合方向に突出させる、といったように各例の構成を任意に併用させるようにしてもよいのは言うまでもない。
【図面の簡単な説明】
【００２６】
【図１】本発明の実施の形態の例の手持ち工具における内装部品を内装させた状態のハウジング半体の側面図である。
【図２】同上の手持ち工具の側面図である。
【図３】同上のハウジング半体の後側から見た断面図である。
【図４】本発明の実施の形態の他例のハウジング半体の後側から見た断面図である。
【図５】本発明の実施の形態の更に他例のハウジング半体の後側から見た断面図である。
【図６】本発明の実施の形態の更に他例であり、（ａ）はハウジング半体の要部の側面図であり、（ｂ）はハウジングの後側から見た要部の断面図である。
【図７】本発明の実施の形態の更に他例のハウジングの後側から見た断面図である。
【図８】本発明の実施の形態の更に他例であり、（ａ）はハウジング半体の要部の側面図であり、（ｂ）はハウジングの後側から見た要部の断面図である。
【図９】従来技術の例の手持ち工具の側断面図である。
【符号の説明】
【００２７】
１  手持ち工具
２  ハウジング
３  ボディ部
４  グリップ部
５  隔壁部
８  モータ
９  制御回路基板
１０  コード
１２  空気流通孔
１３  通気空間
１６  挿通孔
２０  ハウジング半体
２０ａ  合わせ面
３０  ボディ半部
４０  グリップ半部
５０  隔壁半部
５０ａ  合わせ面
【図１】
2008080421.tif 000003
【図２】
2008080421.tif 000004
【図３】
2008080421.tif 000005
【図４】
2008080421.tif 000006
【図５】
2008080421.tif 000007
【図６】
2008080421.tif 000008
【図７】
2008080421.tif 000009
【図８】
2008080421.tif 000010
【図９】
2008080421.tif 000011